(57)【要約】【課題】  前部扱胴２０を脱穀機体に装着したままで後部扱胴３０を脱着できるようにする。【解決手段】  後部扱胴３０を、筒支軸３１とリム部材３５とドラム板３３とに分割自在に構成してある。リム部材３５を、筒支軸３１に対して脱着自在に構成するとともに後部扱胴３０の周方向に複数個の分割リム部材に分割自在に構成してある。ドラム板３３を、リム部材３５に対して脱着自在に構成するとともに後部扱胴３０の周方向に複数個の分割ドラム板に分割自在に構成してある。【選択図】        図３
2006075128.tif 000002
【特許請求の範囲】
【請求項１】
前部扱胴と、この前部扱胴の回転支軸の後端部に相対回転自在に支持された後部扱胴とを、扱室に駆動回動自在に設けた脱穀機の脱穀部構造であって、
前記後部扱胴を、前記回転支軸に相対回転自在に外嵌された筒支軸と、この筒支軸に対して内周部が脱着自在なリム部材と、このリム部材の外周部に対して脱着自在なドラム板とに分割自在に構成し、
前記リム部材を、後部扱胴の周方向に複数個の分割リム部材に分割自在に構成し、
前記ドラム板を、後部扱胴の周方向に複数枚の分割ドラム板に分割自在に構成してある脱穀機の脱穀部構造。
【請求項２】
前記リム部材において前記分割リム部材どうしが隣り合う部位と、前記ドラム板において前記分割ドラム板どうしが隣り合う部位とが後部扱胴の周方向に位置ずれした状態に前記リム部材と前記ドラム板とが連結されるように構成してある請求項１記載の脱穀機の脱穀部構造。
【発明の詳細な説明】
【技術分野】
【０００１】
本発明は、前部扱胴と、この前部扱胴の回転支軸の後端部に相対回動自在に支持された後部扱胴とを、扱室に駆動回動自在に設けた脱穀機の脱穀部構造に関する。
【背景技術】
【０００２】
上記脱穀部構造として、従来、たとえば特許文献１に示されるように、第１扱胴３Ａ（前部扱胴に相当）、第１扱胴３Ａを支持する回転軸２３の後部に回転筒軸２４を介して相対回転自在に支持された第２扱胴３Ｂ（後部扱胴に相当）を備えたものがあった。
【０００３】
【特許文献１】特開平１１−７５５０８号公報（〔００１３〕，〔００１５〕段、図２）
【発明の開示】
【発明が解決しようとする課題】
【０００４】
この種の脱穀機は、たとえば扱き残しやささりロス、ワラ切れやワラ屑の発生を抑制するように、後部扱胴を前部扱胴よりも高速で駆動したり、後部扱胴のドラム外径を調整したりすることを可能にしたものである。このため、後部扱胴が変形や破損したり、脱穀対象穀稈に対して不適合なものになったりして後部扱胴を修理や交換、調整する必要が比較的生じやすくなっている。
後部扱胴を脱着するのに、後部扱胴の脱着操作が可能となるように前部扱胴も後部扱胴と共に脱穀機体から取り外した状態にして、後部扱胴を前部扱胴の回転支軸に対して脱着せねばならないものであると、前部扱胴を脱穀機体に対して脱着する作業のために手間や労力が必要になる問題がある。
【０００５】
本発明の目的は、後部扱胴を迅速かつ楽に脱着することができる脱穀機の脱穀部構造を提供することにある。
【課題を解決するための手段】
【０００６】
本第１発明にあっては、前部扱胴と、この前部扱胴の回転支軸の後端部に相対回転自在に支持された後部扱胴とを、扱室に駆動回動自在に設けた脱穀機の脱穀部構造において、
前記後部扱胴を、前記回転支軸に相対回転自在に外嵌された筒支軸と、この筒支軸に対して内周部が脱着自在なリム部材と、このリム部材の外周部に対して脱着自在なドラム板とに分割自在に構成し、
前記リム部材を、後部扱胴の周方向に複数個の分割リム部材に分割自在に構成し、
前記ドラム板を、後部扱胴の周方向に複数枚の分割ドラム板に分割自在に構成してある。
【０００７】
すなわち、筒支軸に対して各分割リム部材を組み付けることにより、リム部材が完成状態になるとともに筒支軸に装着された状態になり、このリム部材に対して各分割ドラム板を組み付けることにより、ドラム板が完成状態になるとともにリム部材に装着された状態になり、この結果、後部扱胴が完成状態になるとともに前部扱胴の回転支軸の後端部に相対回転自在に装着された状態になる。各分割ドラム板をリム部材から取り外し、各分割リム部材を筒支軸から取り外すことにより、後部扱胴が複数枚の分割ドラム板と複数個の分割リム部材と筒支軸とに分解した状態になって回転支軸から外れた状態になる。これにより、後部扱胴を、筒支軸と分割ドラム板と分割リム部材に分解しながら回転支軸から取り外したり、分割リム部材及び分割ドラム板に分割して回転支軸に組み付けたりすることができ、前部扱胴を脱穀機体に装着したままにしても、後部扱胴だけを前部扱胴の回転支軸の後端部に相対回転自在に支持された所定の装着状態に装着したり、この装着状態から取り外したりすることができる。
【０００８】
従って、本第１発明によれば、後部扱胴を修理や交換、調整する作業を行なうに当たり、前部扱胴を脱穀機体から取り外さずに後部扱胴だけを脱着して能率よくかつ楽に作業することができる。
【０００９】
本第２発明にあっては、本第１発明の構成において、前記リム部材において前記分割リム部材どうしが隣り合う部位と、前記ドラム板において前記分割ドラム板どうしが隣り合う部位とが後部扱胴の周方向に位置ずれした状態に前記リム部材と前記ドラム板とが連結されるように構成してある。
【００１０】
すなわち、分割ドラム板が隣り合う一対の分割リム部材の一方と他方にわたって連結し、隣り合う一対の分割リム部材が分離しにくいように分割ドラム板によって連結された状態になる。
【００１１】
従って、本第２発明によれば、後部扱胴を隣り合う一対の分割リム部材が脱穀負荷などによって分離しにくいように連結された強固な状態に得ることができ、しかも、分割ドラム板を連結手段に利用して構造面などでも有利に得ることができる。
【発明を実施するための最良の形態】
【００１２】
以下、本発明の実施例を図面に基づいて説明する。
図１に示すように、脱穀機体１の外部に駆動回動自在に位置する脱穀フィードチェーン２によって刈取り穀稈の株元側を脱穀機体後方向きに挟持搬送して、その刈取穀稈の穂先側を扱室３に供給して脱穀機体前後方向に並んで回動する前部扱胴２０と後部扱胴３０とによって脱穀処理し、脱穀排ワラを脱穀フィードチェーン２によって扱室３の後端部に位置する送塵口４から搬出し、扱室３から搬出された脱穀排ワラを排ワラ搬送チェーン５によって脱穀フィードチェーン２から受け継いで脱穀機体後方側に挟持搬送して脱穀機体１の外部に排出するように脱穀部を構成してある。扱室３の受網６から落下した脱穀処理物を、脱穀部の下方に駆動揺動自在に位置する揺動選別装置７によって受け止めて脱穀機体後方向きに搬送しながら、この揺動選別装置７と、唐箕８が供給する選別風とによって穀粒と塵埃とに選別し、穀粒を揺動選別装置７から落下させ、塵埃を排塵ファン９によって選別風と共に吸引させて脱穀機体１の外部に排出するように選別部を構成してある。揺動選別装置７から落下した精粒を１番スクリューコンベヤ１１によって受け止めて脱穀機体１の横外側に搬送し、揺動選別装置７から落下した未処理粒を２番スクリューコンベヤ１２によって受け止めて脱穀機体１の横外側に搬送し、２番スクリューコンベヤ１２からの未処理粒を還元搬送装置（図示せず）によって脱穀機体内に吐出して揺動選別装置７の始端側に還元するように構成し、もって、コンバイン用の脱穀機を構成してある。
【００１３】
脱穀部についてさらに詳述すると、図１，２に示すように、前記前部扱胴２０は、扱室３の前記送塵口４よりも脱穀機体前方側に位置するように配置してある。この前部扱胴２０は、前部扱胴２０を貫通するとともに前部扱胴２０に対して一体回転自在に連結されている脱穀機体前後向きの回転支軸２１を介して扱室３の前側板１５と後側板１６に回転自在に支持されている。前記後部扱胴３０は、扱室３の前記送塵口４の上方側に位置するように配置してある。この後部扱胴３０は、後部扱胴３０の軸芯部に位置する筒支軸３１を介して前部扱胴２０の前記回転支軸２１の後端部に相対回転自在に支持されている。
【００１４】
後部扱胴３０の脱穀機体前後方向での長さＬを、送塵口４の脱穀機体前後方向での長さに等しい又はそれに近い長さにしてある。後部扱胴３０のドラム外径Ｄ１を前部扱胴２０のドラム外径Ｄ２よりも小にし（たとえば、前部扱胴２０のドラム外径Ｄ２を約４２４．６ｍｍにし、後部扱胴３０のドラム外径Ｄ１を約３２４．６ｍｍにし）、後部扱胴３０の扱歯先端での外径が前部扱胴２０の扱歯先端での外径と等しく又はほぼ等しくなるように、後部扱胴３０の扱歯３２の後部扱胴周面から突出する長さを、前部扱胴２０の扱歯２２の前部扱胴周面から突出する長さよりも大にしてある。
【００１５】
図２に示すように、前部扱胴２０の回転支軸２１の前記前側板１５から扱室外に突出する端部に一体回転自在に設けた入力プーリ４０に伝動ベルト４１を介して自走機体の原動部（図示せず）からエンジン出力が伝達されて回転支軸２１が駆動されるように構成することにより、前部扱胴２０が回転支軸２１の脱穀機体前後向きの軸芯Ｐ１まわりで回転駆動されるようになっている。前部扱胴２０の横側方に回転支軸２１と平行に位置して前側板１５と後側板１６に回転自在に支持されている回転伝動軸４２の前端部に一体回転自在に設けた入力プーリ４３に前記伝動ベルト４１を介してエンジン出力が伝達されるように構成するとともに、前記回転伝動軸４２の後端部に一体回転自在に設けた伝動プーリ４４の駆動力が伝動ベルト４５を介して、後部扱胴３０の前記筒支軸３１の後端部に連結している入力プーリ４６に伝達されて筒支軸３１が駆動されるように構成することにより、後部扱胴３０が前部扱胴２０の回転軸芯と同一の軸芯Ｐ１のまわりで前部扱胴２０と同一の回転方向に、前部扱胴２０よりも高速で回転駆動されるようになっている。たとえば前部扱胴２０が５０７ｒｐｍで回転駆動され、後部扱胴３０が７００ｒｐｍで回転駆動されるようになっている。図３に示されるように、前記筒支軸３１の入力プーリ４６は、筒支軸３１に対してネジ式の連結手段４７によって一体回転自在に連結されている。この連結手段４７には、伝動による弛みが生じないように左ネジを利用してある。
尚、前部扱胴２０の前記回転支軸２１の後端部に一体回転自在に連結している出力プーリ４８は、回転支軸２１の駆動力を前記排ワラ搬送チェーン５に伝達するものである。
【００１６】
これにより、脱穀部は、刈取穀稈の株元側を脱穀フィードチェーン２によって脱穀機体後方向きに挟持搬送することにより、刈取穀稈の穂先側を扱室３の前部扱胴２０と受網６の間に供給して前部扱胴２０と受網６とによって脱穀処理し、次に後部扱胴３０の下側に供給して後部扱胴３０によって排ワラにささり込んでいる穀粒をほぐし出すように（ささりロスを抑制するように）、かつ、未脱粒を脱粒させるように（扱き残しを抑制するように）脱穀処理し、後部扱胴３０からの脱穀排ワラを送塵口４から扱室外に搬出する。
【００１７】
図３，４などに示すように、前記後部扱胴３０は、後部扱胴３０の回転軸芯方向及び周方向に並ぶ複数本の前記扱歯３２が設けられているドラム板３３と、前部扱胴２０の前記回転支軸２１に対してベアリング３４を介して相対回転自在に外嵌されている前記筒支軸３１と、後部扱胴３０の回転軸芯方向での２箇所でドラム板３３と筒支軸３１とを連結しているリム部材３５とを備えて構成してある。各リム部材３５は、後部扱胴３０の内部にワラ屑が入り込むことを防止するようにドラム板３３と筒支軸３１との間を閉じる蓋部材になるように円板状に形成してある。
【００１８】
図５，６に示すように、前記各リム部材３５は、分割リム部材３５ａの２個によって構成し、前記ドラム板３３は、半円弧形の分割ドラム板３３ａの２枚によって構成してある。
【００１９】
各分割リム部材３５ａは、半円形の板状体によって構成してある。各分割リム部材３５ａの内周部に、半円形の切欠き３６ａと、この切欠き３６ａの周囲に並ぶ複数個のボルト孔３６ｂとを有した連結部３６を設けてある。各分割リム部材３５ａの外周部に、フランジ３７ａと、このフランジ３７ａのリム部材周方向に並ぶ複数箇所に位置するメネジ部材３７ｂとを有したドラム支持部３７を設けてある。
【００２０】
すなわち、各リム部材３５は、前記分割リム部材３５ａの２個を、各分割リム部材３５ａの前記切欠き３６ａに筒支軸３１が入り込むようにして筒支軸３１の周囲に筒支軸３１の周方向に並べ、前記連結部３６の前記ボルト孔３６ｂと筒支軸３１のフランジ３１ａとに装着した連結ネジ３８によって各分割リム部材３５ａの内周部を筒支軸３１のフランジ３１ａに対して締め付け連結することによって構成してある。
【００２１】
ドラム板３３は、分割ドラム板３３ａの２枚を、各分割ドラム板３３ａの内面側が各リム部材３５の分割リム部材３５ａのフランジ３７ａに対して当接した状態にして、かつ、分割ドラム板３３ａどうしが隣り合う部位Ａが、分割リム部材３５ａどうしが隣り合う部位Ｂに対して後部扱胴３０の周方向に位置ずれした状態にしてリム部材３５の周方向に並べて、分割ドラム板３３ａのボルト孔３３ｂと分割リム部材３５ａのメネジ部材３７ｂとに装着した連結ネジ３９によって分割ドラム板３３ａを各分割リム部材３５ａの外周部のフランジ３７ａに対して締め付け連結することによって構成してある。
【００２２】
従って、後部扱胴３０は、筒支軸３１と、複数個のリム部材３５と、一つのドラム板３３とに分割自在になっている。後部扱胴３０の各リム部材３５は、筒支軸３１に対して脱着することができるようになり、かつ、後部扱胴３０の回転軸芯Ｐ１に直交する分割線Ｂ（図４参照）１で後部扱胴３０の周方向に２個の分割リム部材３５ａに分割することできるようになっている。後部扱胴３０のドラム板３３は、各リム部材３５に対して脱着することができるようになり、かつ、後部扱胴３０の周方向に分割線Ａ１（図４参照）で２枚の分割ドラム板３３ａに分割することができるようになっている。
これにより、後部扱胴３０を変形や破損して修理や交換する場合、脱穀対象とする刈取穀稈の性状が異なるなどのために、図８に示す如く後部扱胴３０を前部扱胴２０と等しいドラム外径のものに変更する場合など、後部扱胴３０を筒支軸３１と分割ドラム板３３ａと分割リム部材３５ａに分解しながら回転支軸２１から取り外したり、後部扱胴３０を分割ドラム板３３ａ及び分割リム部材３５ａに分割して回転支軸２１に組み付けたりすることができ、前部扱胴２０を脱穀機体に取り付けたままにして後部扱胴３０のみを脱着することができる。
【００２３】
脱穀機体１のうち、前部扱胴２０及び後部扱胴３０を支持している上部機体部分１ａを、前記回転伝動軸４２の軸芯まわりで、受網６を備えた下部機体部分に対して上下に揺動開閉できるように構成し、後部扱胴３０を修理や交換などする際、上部機体部分１ａを上昇開放して扱室３を開放するようになっている。
尚、前記回転伝動軸４２は、ワラ屑の巻きつきなどが発生しないようにパイプ材４９に収容してある。
【００２４】
〔別実施形態〕
図７は、別の実施形態を備えて扱胴伝動構造を示し、この扱胴伝動構造にあっては、回転伝動軸４２の伝動プーリ４４を割りプーリ利用の変速プーリに構成し、この伝動プーリ４４のベルト巻回径を変更することにより、後部扱胴３０を変速駆動するようになっている。すなわち、後部扱胴３０による切れワラの発生が多い場合、伝動プーリ４４によって後部扱胴３０を低速駆動されるように減速調節することにより、切れワラ発生を抑制できるようになっている。
【図面の簡単な説明】
【００２５】
【図１】コンバイン用脱穀機の断面図
【図２】脱穀部の平面図
【図３】後部扱胴取付け部の断面図
【図４】後部扱胴の縦断面図
【図５】後部扱胴の分解状態での正面図
【図６】後部扱胴の分解状態での斜視図
【図７】別の実施形態を備えた後部扱胴伝動構造の概略図
【図８】後部扱胴の調整状態を示す概略図
【符号の説明】
【００２６】
３        扱室
２０      前部扱胴
２１      前部扱胴の回転支軸
３０      後部扱胴
３１      筒支軸
３３      ドラム板
３３ａ    分割ドラム板
３５      リム部材
３５ａ    分割リム部材
Ａ        分割ドラム板の隣り合う部位
Ｂ        分割リム部材の隣り合う部位
【図１】
2006075128.tif 000003
【図２】
2006075128.tif 000004
【図３】
2006075128.tif 000005
【図４】
2006075128.tif 000006
【図５】
2006075128.tif 000007
【図６】
2006075128.tif 000008
【図７】
2006075128.tif 000009
【図８】
2006075128.tif 000010